【手続補正書】
【提出日】平成16年4月1日(2004.4.1)
【手続補正１】
【補正対象書類名】明細書
【補正対象項目名】特許請求の範囲
【補正方法】変更
【補正の内容】
【特許請求の範囲】
【請求項１】
情報記録媒体に記録されているコンテンツを再生するコンテンツ再生装置において、
前記コンテンツの再生が開始されたか否かを判定する第１の判定手段と、
前記第１の判定手段により、前記コンテンツの再生が開始されたと判定された場合、再生開始位置を検出する第１の検出手段と、
前記コンテンツの再生が停止されたか否かを判定する第２の判定手段と、
前記第２の判定手段により、前記コンテンツの再生が停止されたと判定された場合、再生終了位置を検出する第２の検出手段と、
前記再生開始位置と前記再生終了位置を記憶する記憶手段と、
を備えることを特徴とするコンテンツ再生装置。
【請求項２】
前記記憶手段に記憶された前記再生開始位置と前記再生終了位置を前記情報記録媒体に記録する記録手段
をさらに備えることを特徴とする請求項１に記載のコンテンツ再生装置。
【請求項３】
前記情報記録媒体に記録した前記再生開始位置と前記再生終了位置を再生する再生手段と、
前記再生手段により再生された前記再生開始位置と前記再生終了位置に基づいて、編集点を決定する決定手段と、
をさらに備えることを特徴とする請求項２に記載のコンテンツ再生装置。
【請求項４】
前記決定手段は、前記再生手段により再生された複数の前記再生開始位置と複数の前記再生終了位置に重み付けを行って、前記編集点を決定する
ことを特徴とする請求項３に記載のコンテンツ再生装置。
【請求項５】
前記記録手段は、前記決定手段により決定された前記編集点を、前記情報記録媒体にさらに記録する
ことを特徴とする請求項３に記載のコンテンツ再生装置。
【請求項６】
前記再生手段は、前記情報記録媒体に記録された前記編集点をさらに再生し、再生された前記編集点に基づいて、前記情報記録媒体に記録されている前記コンテンツを再生する
ことを特徴とする請求項５に記載のコンテンツ再生装置。
【請求項７】
前記第１の検出手段は、実際の前記再生開始位置が所定の領域内に位置するか否かを判定し、所定の領域内に位置すると判定された場合、最も近いシーンの先頭を前記再生開始位置として検出する
ことを特徴とする請求項１に記載のコンテンツ再生装置。
【請求項８】
前記第２の検出手段は、前記再生終了位置が所定の領域内に位置するか否かを判定し、所定の領域内に位置すると判定された場合、最も近いシーンの終端を前記再生終了位置として検出する
ことを特徴とする請求項１に記載のコンテンツ再生装置。
【請求項９】
前記再生開始位置と前記再生終了位置の間の時間と所定の基準値の長さを判定する第３の判定手段をさらに備え、
前記記憶手段は、前記第３の判定手段により、前記再生開始位置と前記再生終了位置の間の時間が前記基準値より長いと判定された場合、前記再生開始位置と前記再生終了位置を記憶する
ことを特徴とする請求項１に記載のコンテンツ再生装置。
【請求項１０】
前記第３の判定手段により、前記再生開始位置と前記再生終了位置の間の時間が前記基準値より短いと判定された場合、前記記憶手段はその前記再生開始位置と前記再生終了位置を記憶しない
ことを特徴とする請求項９に記載のコンテンツ再生装置。
【請求項１１】
情報記録媒体に記録されているコンテンツを再生するコンテンツ再生装置のコンテンツ再生方法において、
前記コンテンツの再生が開始されたか否かを判定する第１の判定ステップと、
前記第１の判定ステップの処理により、前記コンテンツの再生が開始されたと判定された場合、再生開始位置を検出する第１の検出ステップと、
前記コンテンツの再生が停止されたか否かを判定する第２の判定ステップと、
前記第２の判定ステップの処理により、前記コンテンツの再生が停止されたと判定された場合、再生終了位置を検出する第２の検出ステップと、
前記再生開始位置と前記再生終了位置の記憶を制御する記憶制御ステップと、
を含むことを特徴とするコンテンツ再生方法。
【請求項１２】
前記再生開始位置と前記再生終了位置の再生を制御する再生制御ステップと、
前記再生制御ステップの処理により再生された前記再生開始位置と前記再生終了位置に基づいて、編集点を決定する決定ステップと
をさらに含むことを特徴とする請求項１１に記載のコンテンツ再生方法。
【請求項１３】
前記第１の検出ステップの処理は、実際の前記再生開始位置が所定の領域内に位置するか否かを判定し、所定の領域内に位置すると判定された場合、最も近いシーンの先頭を前記再生開始位置として検出する
ことを特徴とする請求項１１に記載のコンテンツ再生方法。
【請求項１４】
前記第２の検出ステップの処理は、前記再生終了位置が所定の領域内に位置するか否かを判定し、所定の領域内に位置すると判定された場合、最も近いシーンの終端を前記再生終了位置として検出する
ことを特徴とする請求項１１に記載のコンテンツ再生方法。
【請求項１５】
前記再生開始位置と前記再生終了位置の間の時間と所定の基準値の長さを判定する第３の判定ステップをさらに含み、
前記記憶制御ステップの処理は、前記第３の判定ステップの処理により、前記再生開始位置と前記再生終了位置の間の時間が前記基準値より長いと判定された場合、前記再生開始位置と前記再生終了位置を記憶させる
ことを特徴とする請求項１１に記載のコンテンツ再生方法。
【請求項１６】
情報記録媒体に記録されているコンテンツを再生するコンテンツ再生装置のプログラムであって、
前記コンテンツの再生が開始されたか否かを判定する第１の判定ステップと、
前記第１の判定ステップの処理により、前記コンテンツの再生が開始されたと判定された場合、再生開始位置を検出する第１の検出ステップと、
前記コンテンツの再生が停止されたか否かを判定する第２の判定ステップと、
前記第２の判定ステップの処理により、前記コンテンツの再生が停止されたと判定された場合、再生終了位置を検出する第２の検出ステップと、
前記再生開始位置と前記再生終了位置の記憶を制御する記憶制御ステップと、
を含むことを特徴とするコンピュータが読み取り可能なプログラムが記録されている記録媒体。
【請求項１７】
前記再生開始位置と前記再生終了位置の再生を制御する再生制御ステップと、
前記再生制御ステップの処理により再生された前記再生開始位置と前記再生終了位置に基づいて、編集点を決定する決定ステップと
をさらに含むことを特徴とする請求項１６に記載のコンテンツ再生方法。
【請求項１８】
前記第１の検出ステップの処理は、実際の前記再生開始位置が所定の領域内に位置するか否かを判定し、所定の領域内に位置すると判定された場合、最も近いシーンの先頭を前記再生開始位置として検出する
ことを特徴とする請求項１６に記載のコンテンツ再生方法。
【請求項１９】
前記第２の検出ステップの処理は、前記再生終了位置が所定の領域内に位置するか否かを判定し、所定の領域内に位置すると判定された場合、最も近いシーンの終端を前記再生終了位置として検出する
ことを特徴とする請求項１６に記載のコンテンツ再生方法。
【請求項２０】
前記再生開始位置と前記再生終了位置の間の時間と所定の基準値の長さを判定する第３の判定ステップをさらに含み、
前記記憶制御ステップの処理は、前記第３の判定ステップの処理により、前記再生開始位置と前記再生終了位置の間の時間が前記基準値より長いと判定された場合、前記再生開始位置と前記再生終了位置を記憶させる
ことを特徴とする請求項１６に記載のコンテンツ再生方法。
【請求項２１】
情報記録媒体に記録されているコンテンツを再生するコンテンツ再生装置を制御するコンピュータに、
前記コンテンツの再生が開始されたか否かを判定する第１の判定ステップと、
前記第１の判定ステップの処理により、前記コンテンツの再生が開始されたと判定された場合、再生開始位置を検出する第１の検出ステップと、
前記コンテンツの再生が停止されたか否かを判定する第２の判定ステップと、
前記第２の判定ステップの処理により、前記コンテンツの再生が停止されたと判定された場合、再生終了位置を検出する第２の検出ステップと、
前記再生開始位置と前記再生終了位置の記憶を制御する記憶制御ステップと、
を実行させることを特徴とするプログラム。
【請求項２２】
前記再生開始位置と前記再生終了位置の再生を制御する再生制御ステップと、
前記再生制御ステップの処理により再生された前記再生開始位置と前記再生終了位置に基づいて、編集点を決定する決定ステップと
をさらに含むことを特徴とする請求項２１に記載のコンテンツ再生方法。
【請求項２３】
前記第１の検出ステップの処理は、実際の前記再生開始位置が所定の領域内に位置するか否かを判定し、所定の領域内に位置すると判定された場合、最も近いシーンの先頭を前記再生開始位置として検出する
ことを特徴とする請求項２１に記載のコンテンツ再生方法。
【請求項２４】
前記第２の検出ステップの処理は、前記再生終了位置が所定の領域内に位置するか否かを判定し、所定の領域内に位置すると判定された場合、最も近いシーンの終端を前記再生終了位置として検出する
ことを特徴とする請求項２１に記載のコンテンツ再生方法。
【請求項２５】
前記再生開始位置と前記再生終了位置の間の時間と所定の基準値の長さを判定する第３の判定ステップをさらに含み、
前記記憶制御ステップの処理は、前記第３の判定ステップの処理により、前記再生開始位置と前記再生終了位置の間の時間が前記基準値より長いと判定された場合、前記再生開始位置と前記再生終了位置を記憶させる
ことを特徴とする請求項２１に記載のコンテンツ再生方法。
【手続補正２】
【補正対象書類名】明細書
【補正対象項目名】００２０
【補正方法】変更
【補正の内容】
【００２０】
本発明のコンテンツ再生方法は、コンテンツの再生が開始されたか否かを判定する第１の判定ステップと、第１の判定ステップの処理により、コンテンツの再生が開始されたと判定された場合、再生開始位置を検出する第１の検出ステップと、コンテンツの再生が停止されたか否かを判定する第２の判定ステップと、第２の判定ステップの処理により、コンテンツの再生が停止されたと判定された場合、再生終了位置を検出する第２の検出ステップと、再生開始位置と再生終了位置の記憶を制御する記憶制御ステップとを含むことを特徴とする。
再生開始位置と再生終了位置の再生を制御する再生制御ステップと、再生制御ステップの処理により再生された再生開始位置と再生終了位置に基づいて、編集点を決定する決定ステップとをさらに含むようにすることができる。
第１の検出ステップの処理は、実際の再生開始位置が所定の領域内に位置するか否かを判定し、所定の領域内に位置すると判定された場合、最も近いシーンの先頭を再生開始位置として検出するようにすることができる。
第２の検出ステップの処理は、再生終了位置が所定の領域内に位置するか否かを判定し、所定の領域内に位置すると判定された場合、最も近いシーンの終端を再生終了位置として検出するようにすることができる。
再生開始位置と再生終了位置の間の時間と所定の基準値の長さを判定する第３の判定ステップをさらに含み、記憶制御ステップの処理は、第３の判定ステップの処理により、再生開始位置と再生終了位置の間の時間が基準値より長いと判定された場合、再生開始位置と再生終了位置を記憶させるようにすることができる。
【手続補正３】
【補正対象書類名】明細書
【補正対象項目名】００２１
【補正方法】変更
【補正の内容】
【００２１】
本発明の記録媒体のプログラムは、コンテンツの再生が開始されたか否かを判定する第１の判定ステップと、第１の判定ステップの処理により、コンテンツの再生が開始されたと判定された場合、再生開始位置を検出する第１の検出ステップと、コンテンツの再生が停止されたか否かを判定する第２の判定ステップと、第２の判定ステップの処理により、前記コンテンツの再生が停止されたと判定された場合、再生終了位置を検出する第２の検出ステップと、再生開始位置と再生終了位置の記憶を制御する記憶制御ステップとを含むことを特徴とする。
再生開始位置と再生終了位置の再生を制御する再生制御ステップと、再生制御ステップの処理により再生された再生開始位置と再生終了位置に基づいて、編集点を決定する決定ステップとをさらに含むようにすることができる。
第１の検出ステップの処理は、実際の再生開始位置が所定の領域内に位置するか否かを判定し、所定の領域内に位置すると判定された場合、最も近いシーンの先頭を再生開始位置として検出するようにすることができる。
第２の検出ステップの処理は、再生終了位置が所定の領域内に位置するか否かを判定し、所定の領域内に位置すると判定された場合、最も近いシーンの終端を再生終了位置として検出するようにすることができる。
再生開始位置と再生終了位置の間の時間と所定の基準値の長さを判定する第３の判定ステップをさらに含み、記憶制御ステップの処理は、第３の判定ステップの処理により、再生開始位置と再生終了位置の間の時間が基準値より長いと判定された場合、再生開始位置と再生終了位置を記憶させるようにすることができる。
【手続補正４】
【補正対象書類名】明細書
【補正対象項目名】００２２
【補正方法】変更
【補正の内容】
【００２２】
本発明のプログラムは、コンテンツ再生装置を制御するコンピュータに、コンテンツの再生が開始されたか否かを判定する第１の判定ステップと、第１の判定ステップの処理により、コンテンツの再生が開始されたと判定された場合、再生開始位置を検出する第１の検出ステップと、コンテンツの再生が停止されたか否かを判定する第２の判定ステップと、第２の判定ステップの処理により、コンテンツの再生が停止されたと判定された場合、再生終了位置を検出する第２の検出ステップと、再生開始位置と再生終了位置の記憶を制御する記憶制御ステップとをコンピュータに実行させることを特徴とする。
再生開始位置と再生終了位置の再生を制御する再生制御ステップと、再生制御ステップの処理により再生された再生開始位置と再生終了位置に基づいて、編集点を決定する決定ステップとをさらに含むようにすることができる。
第１の検出ステップの処理は、実際の再生開始位置が所定の領域内に位置するか否かを判定し、所定の領域内に位置すると判定された場合、最も近いシーンの先頭を再生開始位置として検出するようにすることができる。
第２の検出ステップの処理は、再生終了位置が所定の領域内に位置するか否かを判定し、所定の領域内に位置すると判定された場合、最も近いシーンの終端を再生終了位置として検出するようにすることができる。
再生開始位置と再生終了位置の間の時間と所定の基準値の長さを判定する第３の判定ステップをさらに含み、記憶制御ステップの処理は、第３の判定ステップの処理により、再生開始位置と再生終了位置の間の時間が基準値より長いと判定された場合、再生開始位置と再生終了位置を記憶させるようにすることができる。
【手続補正５】
【補正対象書類名】明細書
【補正対象項目名】０１０２
【補正方法】変更
【補正の内容】
【０１０２】
この記録媒体は、図１に示されるように、装置本体とは別に、ユーザにプログラムを提供するために配布される、プログラムが記録されている磁気ディスク４１、光ディスク４２、光磁気ディスク４３、もしくは半導体メモリ４４などよりなるパッケージメディアにより構成されるだけでなく、装置本体に予め組み込まれた状態でユーザに提供される、プログラムが記録されているメモリ６や、記憶部２３に含まれる半導体メモリなどで構成される。


【手続補正６】
【補正対象書類名】図面
【補正対象項目名】図１０
【補正方法】変更
【補正の内容】
【図１０】
2003304487.tif 000001